(57)【要約】      （修正有）【課題】簡便な構造で、ケーシング本体の上面を覆うカバーの開閉操作を容易かつ安定的に行うことができる洋風便器装置を提供する。【解決手段】ケーシング４は、ケーシング本体４１と、カバー４２とを有し、ケーシング本体４１の上部後端の凹部において、対向する内側面の一方には、後方斜め上方向に延びるガイド溝が形成されており、かつ凹部の底部には円弧状に切り欠かれた湾曲面が形成されており、カバー４２は、後端付近に、裏面側へ向かって突出する係合部を有し、係合部には、側方に向かって突出する円柱形の突起が形成されており、かつ係合部は、突起がガイド溝内にスライド自在に挿入された状態で凹部に収納されており、ガイド溝における突起の位置が、カバーが閉鎖状態の際の位置より上方に位置している場合に、突起を支軸とした係合部の回転によってカバー４２が回動自在とされており、カバー４２が回動する際に、係合部が凹部の湾曲面上を摺動する。【選択図】図１
2015148068.tif 000002
【特許請求の範囲】
【請求項１】
便器本体の後部上面に固定されたケーシングを備えた洋風便器装置であって、
前記ケーシングは、ケーシング本体と、このケーシング本体の上面部を覆うカバーとを有し、
前記ケーシング本体の上部後端には、前後方向に切欠かれた凹部が形成されており、この凹部において対向する内側面の一方には、後方斜め上方向に延びるガイド溝が形成されており、かつ、この凹部の底部には円弧状に切り欠かれた湾曲面が形成されており、
前記カバーは、後端付近に、裏面側へ向かって突出する係合部を有し、この係合部には、側方に向かって突出する円柱形の突起が形成されており、かつ、前記係合部は、前記突起が前記ガイド溝内にスライド自在に挿入された状態で前記凹部に収納されており、
前記ガイド溝における前記突起の位置が、前記カバーが閉鎖状態の際の位置より上方に位置している場合に、前記突起を支軸とした前記係合部の回転によって前記カバーが回動自在とされており、前記カバーが回動する際に、前記係合部が前記凹部の前記湾曲面上を摺動することを特徴とする洋風便器装置。
【請求項２】
前記ガイド溝の上端および下端には、溝深さが一段深い円形凹段部が形成されていることを特徴とする請求項１に記載の洋風便器装置。
【請求項３】
前記ケーシング本体の背面側の上端付近は前方に傾斜しており、起立した前記カバーが前記ケーシング本体の背面よりも前方に位置することを特徴とする請求項１または２に記載の洋風便器装置。
【請求項４】
前記ケーシング本体の前記凹部には、対向する前記内側面の間に、前後方向と平行な板状の第１のリブが配設されており、
前記カバーの前記係合部は、前後方向と平行な２枚の側片が互いに対向して形成されており、この２枚の側片のうちの一方には、その側面に前記突起が形成されており、かつ、前記側片の間に前後方向と平行な板状の第２のリブが配設されており、
前記突起を支軸とした前記係合部の回転によって前記カバーが回動する際に、前記第２のリブは、その側面が前記第１のリブの側面と近接対峙した状態で摺動することを特徴とする請求項１から３のいずれか一項に記載の洋風便器装置。
【請求項５】
便器本体の後部上面に固定されたケーシングを備えた洋風便器装置であって、
前記ケーシングは、ケーシング本体と、このケーシング本体の上面部を覆うカバーとを有し、
前記ケーシング本体の上部後端には、前後方向に切欠かれた凹部が形成されており、この凹部において対向する内側面の一方には、内方に向かって突出する円柱形の突起が形成されており、かつ、この凹部の底部には円弧状に切り欠かれた湾曲面が形成されており、
前記カバーは、後端付近に、裏面側へ向かって突出する係合部を有し、この係合部には、後方斜め上方向に延びるガイド溝が形成されており、かつ、前記係合部は、前記凹部の前記突起が前記ガイド溝内にスライド自在に挿入された状態で前記凹部に収納されており、
前記ガイド溝における前記突起の位置が、前記カバーが閉鎖状態の際の位置より下方に位置している場合に、前記突起を支軸とした前記係合部の回転によって前記カバーが回動自在とされており、前記カバーが回動する際に、前記係合部が前記凹部の前記湾曲面上を摺動することを特徴とする洋風便器装置。
【発明の詳細な説明】
【技術分野】
【０００１】
本発明は、洋風便器装置に関する。
【背景技術】
【０００２】
特許文献１には、洋風便器本体の後部上面に固定され、機能装置を収納するケーシングと、ケーシングに対して回動可能に設けられた便座とを備えた便座装置が記載されている。そして、この便座装置のケーシングは、ケーシング本体とカバーとからなり、カバーは、ケーシング本体の上面とヒンジなどで結合され、回動させてケーシング本体の上面を覆うものなどを採用できることが記載されている。
【先行技術文献】
【特許文献】
【０００３】
【特許文献１】特開2008-297785号公報
【発明の概要】
【発明が解決しようとする課題】
【０００４】
しかしながら、特許文献１には、ケーシング本体を覆うカバーを回動させるための構造についての具体的な記載はない。ケーシング本体を覆うカバーは、簡便な構造によって容易かつ安定的に開閉操作できることが望まれている。
【０００５】
本発明は、以上のとおりの事情に鑑みてなされたものであり、簡便な構造で、ケーシング本体の上面を覆うカバーの開閉操作を容易かつ安定的に行うことができる洋風便器装置を提供することを課題としている。
【課題を解決するための手段】
【０００６】
上記の課題を解決するために、本発明の洋風便器装置は、便器本体の後部上面に固定されたケーシングを備えた洋風便器装置であって、前記ケーシングは、ケーシング本体と、このケーシング本体の上面部を覆うカバーとを有し、前記ケーシング本体の上部後端には、前後方向に切欠かれた凹部が形成されており、この凹部において対向する内側面の一方には、後方斜め上方向に延びるガイド溝が形成されており、かつ、この凹部の底部には円弧状に切り欠かれた湾曲面が形成されており、前記カバーは、後端付近に、裏面側へ向かって突出する係合部を有し、この係合部には、側方に向かって突出する円柱形の突起が形成されており、かつ、前記係合部は、前記突起が前記ガイド溝内にスライド自在に挿入された状態で前記凹部に収納されており、前記ガイド溝における前記突起の位置が、前記カバーが閉鎖状態の際の位置より上方に位置している場合に、、前記突起を支軸とした前記係合部の回転によって前記カバーが回動自在とされており、前記カバーが回動する際に、前記係合部が前記凹部の前記湾曲面上を摺動することを特徴としている。
【０００７】
この洋風便器装置では、前記ガイド溝の上端および下端には、溝深さが一段深い円形凹段部が形成されていることが好ましい。
【０００８】
この洋風便器装置では、前記ケーシング本体の背面側の上端付近は前方に傾斜しており、垂直に起立した前記カバーが前記ケーシング本体の背面よりも前方に位置することがさらに好ましい。
【０００９】
この洋風便器装置では、前記ケーシング本体の前記凹部には、対向する前記内側面の間に、前後方向と平行な板状の第１のリブが配設されており、前記カバーの前記係合部は、前後方向と平行な２枚の側片が互いに対向して形成されており、この２枚の側片のうちの一方には、その側面に前記突起が形成されており、かつ、前記側片の間に前後方向と平行な板状の第２のリブが配設されており、前記突起を支軸とした前記係合部の回転によって前記カバーが回動する際に、前記第２のリブは、その側面が前記第１のリブの側面と近接対峙した状態で摺動すること一層好ましい。
【００１０】
本発明の洋風便器装置では、便器本体の後部上面に固定されたケーシングを備えた洋風便器装置であって、前記ケーシングは、ケーシング本体と、このケーシング本体の上面部を覆うカバーとを有し、前記ケーシング本体の上部後端には、前後方向に切欠かれた凹部が形成されており、この凹部において対向する内側面の一方には、内方に向かって突出する円柱形の突起が形成されており、かつ、この凹部の底部には円弧状に切り欠かれた湾曲面が形成されており、前記カバーは、後端付近に、裏面側へ向かって突出する係合部を有し、この係合部には、後方斜め上方向に延びるガイド溝が形成されており、かつ、前記係合部は、前記凹部の前記突起が前記ガイド溝内にスライド自在に挿入された状態で前記凹部に収納されており、前記ガイド溝における前記突起の位置が、前記カバーが閉鎖状態の際の位置より下方に位置している場合に、前記突起を支軸とした前記係合部の回転によって前記カバーが回動自在とされており、前記カバーが回動する際に、前記係合部が前記凹部の前記湾曲面上を摺動することを特徴としている。
【発明の効果】
【００１１】
本発明の洋風便器装置は、簡便な構造で、ケーシング本体の上面を覆うカバーの開閉操作を容易かつ安定的に行うことができる。
【図面の簡単な説明】
【００１２】
【図１】本発明の洋風便器装置の第１実施形態を例示した斜視図である。
【図２】本発明の洋風便器装置の第１実施形態のケーシングを例示した部分斜視図である
【図３】図２の洋風便器装置のケーシング（カバーを外した状態）の上部後端に形成された凹部付近を例示した拡大斜視図である。
【図４】図３とは別の角度からの凹部付近を例示した拡大斜視図である。
【図５】本発明の洋風便器装置の第１実施形態におけるケーシングのカバーを例示した裏面側からの斜視図である。
【図６】図５に例示したケーシングのカバーの係合部付近の拡大斜視図である。
【図７】本発明の洋風便器装置におけるカバーの係合部の動きとカバーの開閉状態との関係を例示した概要断面図および凹部付近の拡大縦断面図である。
【図８】本発明の洋風便器装置におけるカバーの係合部の動きとカバーの開閉状態との関係を例示した概要断面図および凹部付近の拡大縦断面図である。
【図９】本発明の洋風便器装置におけるカバーの係合部の動きとカバーの開閉状態との関係を例示した概要断面図および凹部付近の拡大縦断面図である。
【図１０】本発明の洋風便器装置の第１実施形態において、カバーを開状態とした際の拡大斜視図である。
【図１１】本発明の洋風便器装置の第２実施形態におけるケーシングのカバーを例示した裏面側からの斜視図である。
【図１２】本発明の洋風便器装置の第２実施形態におけるケーシング（カバーを外した状態）の上部後端に形成された凹部付近を例示した拡大斜視図である。
【発明を実施するための形態】
【００１３】
図１は、本発明の洋風便器装置の第１実施形態を例示した斜視図である。図２は、本発明の洋風便器装置の第１実施形態のケーシングを例示した部分斜視図である。
【００１４】
洋風便器装置１は、便器本体２と、便器本体２に載置される便座（図示していない）、便蓋３およびケーシング４を備えている。
【００１５】
ケーシング４は、便器本体２の後部上面に固定されており、内部に機能装置５が収納されている。なお、本発明における「前後方向」は、利用者が便座に着座した状態から視る方向によって定義される。すなわち、洋風便器装置１を床に設置した状態の平面視を基準として、便座に着座した利用者から視て前側を前方、後側を後方とし、この前後方向に交差する左右方向を側方とする。
【００１６】
ケーシング４は、便器本体２の後部上面２１に固定されたケーシング本体４１と、ケーシング本体４１を覆うカバー４２とを有している。
【００１７】
図２に例示したように、ケーシング本体４１は、上方が開口した開口部４１aを備え、この開口部４１aの内側に機能装置５が収納されている。また、ケーシング本体４１の背面側上部は前方にやや屈曲して傾斜している。そして、カバー４２は、このケーシング本体４１の上面部と、内部に収納された機能装置５とを覆うことができる。
【００１８】
機能装置５は、洋風便器装置１に各種機能を付加するものである。具体的には、例えば、便座・便蓋開閉装置、人体検知装置（光学式人体検知センサーなど）、便器洗浄装置、局部洗浄装置、温風乾燥装置、脱臭装置、部屋暖房装置、空気清浄装置、音楽再生装置、照明装置などを例示することができる。
【００１９】
そして、例えば、ケーシング本体４１に機能装置５としての光学式人体検知センサー５１を収納することができる。この場合、カバー４２に透光部４２aを形成し、カバー４２が閉鎖状態において、光学式人体検知センサーからの光が透光部４２aを介して透過するように設計することが好ましい。これによって、カバー４２が閉鎖状態であっても使用者の存在を確実に検知することができるため、例えば、この検知信号に基づいて便蓋開閉装置による便蓋３の開閉などを自動制御することができる。
【００２０】
さらに、ケーシング本体４１の前方中央付近にはラッチ固定突起４１ｂが配設されている。
【００２１】
そして、ケーシング本体４１の上部後端には、前後方向に切欠かれた凹部６が２か所に形成されており、カバー４２の係合部８は、ケーシング本体４１の凹部６に収納されている。
【００２２】
また、カバー４２の裏面には、前方中央付近にはラッチ４２cが配設されている。ラッチ４２cの配設位置は、ケーシング本体４１に配設されたラッチ固定突起４１ｂの位置と対応しており、カバー４２が閉状態においては、ラッチ４２cがラッチ固定突起４１ｂに掛け留めされる。ラッチ４２cとラッチ固定突起４１ｂの具体的な構造は特に限定されないが、例えば、閉状態のカバー４２をケーシング本体４１に向かって下方に押し込むことでラッチ４２cの固定が解除されてカバー４２が開く構造のものなどを例示することができる。
【００２３】
また、カバー４２の先端部の中央付近には、内側に窪んだ指掛け部４２dが設けられており、ラッチ４２cの固定が解除されることでカバー４２の前方側が浮き上がって指掛け部４２dが露出するように設計されている。露出した指掛け部４２dに手指を掛けて操作することでカバー４２の開閉を容易に行うことができる。
【００２４】
図３は、図２の洋風便器装置のケーシング（カバーを外した状態）の上部後端に形成された凹部付近を例示した拡大斜視図である。図４は、図３とは別の角度からの凹部付近を例示した拡大斜視図である。
【００２５】
ケーシング本体４１の上部後端には、前後方向に切欠かれた凹部６が２か所に形成されている。凹部６は、略直方体状に切欠かれて形成され、上方と後方が開放されており、左右の内側面６１（６１Ａ、６１Ｂ）は互いに対向している。また、凹部６の後方側の底部には、下方に向かって円弧状に切り欠かれた湾曲面Ｄが形成されている。
【００２６】
そして、この対向する内側面６１Ａ、６１Ｂのうちの一方には、後方斜め上方向に延びるガイド溝７が形成されている。図３、図４に例示した形態では、ガイド溝７は、対向する内側面６１Ａ、６１Ｂのうち、ケーシング本体４１の左右方向の外側に位置する内側面６１Ａに形成されている。
【００２７】
ガイド溝７は、例えば、１．０ｍｍ〜５．０ｍｍ程度の深さで後方斜め上方向に延びて形成することができる。さらに、ガイド溝７の上端７aと下端７bには、溝深さが一段深い円形凹段部Ｓが形成されている。円形凹段部Ｓは、例えば、上端７aと下端７bを除くガイド溝７の溝深さより０．５ｍｍ〜３．０ｍｍ程度深い深さで形成することができる。
【００２８】
ガイド溝７が形成された内側面６１Ａは、ケーシング本体４１とは別部材として形成することができる。具体的には、図３に例示したように、凹部６の側面から外方（洋風便器装置の左右の外側方向）に向かって一段凹んで形成された凹段部６aに、ガイド溝７が形成された嵌合部材６１１を嵌合させることで、ガイド溝７を有する内側面６１Ａが形成される。この嵌合部材６１１は、底部付近から内方に向かって突出する固定片６１１aを備えており、この固定片６１１aに固定具Ｔが挿通されることで嵌合部材６１１が凹部６内で固定されている。
【００２９】
さらに、凹部６内の前方側には、対向する内側面６１Ａ、６１Ｂの間の中央付近に、前後方向と平行な板状の第１のリブＲ１が立設されている。第１のリブＲ１は、凹部６の底部から上端部付近まで延びている。
【００３０】
図５は、本発明の洋風便器装置の第１実施形態におけるケーシングのカバーを例示した裏面側からの斜視図である。図６は、図５に例示したケーシングのカバーの係合部付近の拡大斜視図である。
【００３１】
カバー４２の形状は、図３に例示したケーシング本体４１の上面部と対応しており、前方側がやや下方に屈曲した略板状に形成されている。また、カバー４２の前方付近には小円形状の透光部４２aが形成されている。また、カバー４２は、後端付近に、裏面側へ向かって突出する係合部８を有している。係合部８は、前後方向と略平行な板状の２枚の側片８１が互いに対向しており、この側片８１同士の後端が後片８２によって接続されている。そして、２つの係合部８の各々には突起９が形成されている。具体的には、係合部８の２枚の側片のうちの一方に、その外側面に側方（左右方向の外側）に向かって突出する突起９が形成されている。また、係合部８の側片８１には、下端から上方向に延びるスリットＭが形成されている。スリットＭが設けられていることで側片８１が撓みやすくなるため、カバー４２をケーシング本体４１に取り付ける際に、突起９をガイド溝７に嵌め込み易くなる。
【００３２】
突起９は略円柱形であり、ガイド溝７の上端７aおよび下端７bに形成されている円形凹段部Ｓの形状、大きさと対応しており、突起９の直径は、ガイド溝７の溝幅と対応している。また、突起９の高さは、ガイド溝７の溝深さを考慮して設計することができる。さらに、突起９の位置は、ガイド溝７との位置関係にもよるが、例えば、側片８１の前下方付近に形成することができる。
【００３３】
さらに、係合部８には、２枚の側片８１の間の中央付近に板状の第２のリブＲ２が前後方向と平行に配設されている。第２のリブＲ２は、係合部８の後片８２と接続している。また、２枚の側片８１と第２のリブＲ２は、カバー４２の裏面から離れる方向へ向かって次第に厚さが薄くなるように形成されている。
【００３４】
次に、ケーシングのカバーの開閉操作について、図７〜図９および図１０を用いて説明する。
【００３５】
図７〜図９は、本発明の洋風便器装置におけるカバーの係合部の動きとカバーの開閉状態との関係を例示した概要断面図および凹部付近の拡大縦断面図である。図１０は、本発明の洋風便器装置の第１実施形態において、カバーを開状態とした際の拡大斜視図である。
【００３６】
図７に例示したように、カバー４２が閉鎖状態の場合、カバー４２は、ケーシング本体４１の上面に当接し、ケーシング本体４１の上面部および機能装置５を覆っている。カバー４２の係合部８は、ケーシング本体４１の凹部６に収納されており、係合部８の突起９は、ガイド溝７の下端７bに位置している。ガイド溝７の下端７bには、溝深さが一段深い円形凹段部Ｓが形成されているため、係合部８の突起９が円形凹段部Ｓに嵌まり込み、安定に保持されている。係合部８の突起９がガイド溝７の下端７bに位置している場合、突起９を支軸とした係合部８の回転は凹部６に制限されており、カバー４２が開放されないように設計されている。
【００３７】
カバー４２を開放する場合、閉状態のカバー４２をケーシング本体４１に向かって下方に押し込むことでラッチ４２cの固定を解除する。これによって、固定が解除されたカバー４２は上方に浮き上がり、カバー４２の先端の指掛け部４２d（図２に図示）が露出する。
【００３８】
そして、例えば、手指で指掛け部４２d（図２に図示）付近を保持し、カバー４２を後方に向かって押すことで、図８に例示したように、突起９がガイド溝７に沿って上端７a方向（後方斜め上方向）にスライドする。これに伴って、カバー４２全体が後方斜め上方向に移動する。この際、突起９がガイド溝７の下端７b（カバー４２が閉鎖状態の際の位置）より上方（上端７a側）に位置する場合において、突起９を支軸とした回動によってカバー４２の開放が可能とされている。すなわち、ガイド溝７の中間部分（下端７bと上端７aの間）においてカバー４２を開方向に回動させながらカバー４２全体を後方斜め上方向に移動させることができる。このとき、凹部６の後方側の底部には円弧状の湾曲面Ｄが形成されているため、カバー４２の回動時（係合部８の回転時）に、係合部８の後片８２の下端部が湾曲面Ｄ上を摺動する。このため、カバー４２の回動時におけるガタツキが抑制されて安定的かつスムーズにカバー４２を回動させることができる。
【００３９】
そして、図９に例示したように、突起９を支軸として係合部８が閉鎖状態から略９０°回転することで、カバー４２が後方に向かって回動してケーシング本体４１の上方が大きく開放される。
【００４０】
また、図１０に例示したように、凹部６に設けられた第１のリブＲ１と、係合部８に設けられた第２のリブＲ２が近接している。そして、カバー４２の回動の際には、係合部８の回転に伴って、第２のリブＲ２は、側面が凹部６に設けられた第１のリブＲ１の側面と近接対峙した状態で摺動する。このため、カバー４２の回動時に係合部８が凹部６内で左右方向に位置ずれし難く、カバー４２のガタツキが抑制されてスムーズに回動させることができる。これによって、カバー４２の開閉操作をより安定かつ円滑に行うことができる。
【００４１】
そして、カバー４２の開放時には、最終的に係合部８の突起９がガイド溝７の上端７aの円形凹段部Ｓに配置される。円形凹段部Ｓは、溝深さが一段深く形成されているため、係合部８の突起９が円形凹段部Ｓに嵌まり込み、安定に保持される。
【００４２】
また、この実施形態においては、カバー４２の水平状態を維持したまま、突起９をガイド溝７に沿って上端７aまでスライドさせた後、この上端７aの位置において突起９を支軸とした回動によってカバー４２を開放することもできる。この場合、ガイド溝７の上端７aの円形凹段部Ｓは溝深さが一段深く形成されているため、安定にカバー４２を開放することができる。
【００４３】
さらに、ケーシング本体４１の背面Ｐ（図１に図示）側の上端付近が前方に傾斜しており、垂直に起立したカバー４２がケーシング本体４１の背面Ｐよりも前方に位置することが好ましい。これによって、カバー４２を開放した状態においても、カバー４２が後方に突出しないため、洋風便器装置１の設置環境に関わらず、容易にカバー４２を開放することができる。なお、ここで、起立したカバーについての「垂直」とは、厳密に９０°を意味するものではなく、±１０°程度の誤差は許容され得る。
【００４４】
さらに、開放されたカバー４２を閉鎖する場合には、図７〜図９に例示した手順と逆の手順を踏むことができる。
【００４５】
すなわち、カバー４２が開放されている場合、突起９がガイド溝７の上端７aに位置しており（図９に例示した状態）、突起９を支軸としてカバー４２を前方へ回動させることで、カバー４２を前方に倒すことができる（図８に例示した状態）。そして、例えば、カバー４２をやや手前に引くように力を加えることで、カバー４２が前方へ回動しながら、突起９がガイド溝７に沿って前方斜め下方向にスライドしてガイド溝７の下端７bに移動する。これによって、ケーシング本体４１の上面部が覆われて、カバー４２が閉鎖する（図７に例示した状態）。
【００４６】
図１〜図９を用いて説明したように、本発明の洋風便器装置１は、便器本体２の後部上面２１に固定されたケーシング４を備えている。ケーシング４は、ケーシング本体４１と、このケーシング本体４１の上面部とを覆うカバー４２とを有している。そして、前記ケーシング本体４１の上部後端には、前後方向に切欠かれた凹部６が形成されており、この凹部６において対向する内側面の一方には、後方斜め上方向に延びるガイド溝７が形成されており、かつ、この凹部６の底部には円弧状に切り欠かれた湾曲面Ｄが形成されている。また、カバー４２は、後端付近に、裏面側へ向かって突出する係合部８を有し、この係合部８には、側方に向かって突出する円柱形の突起９が形成されており、かつ、係合部８は、突起９がガイド溝７内にスライド自在に挿入された状態で凹部６に収納されている。ガイド溝７における突起９の位置が、カバー４２が閉鎖状態の際の位置より上方に位置している場合に、突起９を支軸とした係合部８の回転によってカバー４２が回動自在とされている。そして、カバー４２が回動する際に、係合部８が凹部６の湾曲面Ｄ上を摺動する。
【００４７】
したがって、本発明の洋風便器装置１は、簡便な構造で、ケーシング本体４１の上面部を覆うカバー４２の開閉操作を容易に行うことができる。さらに、カバー４２が回動する際に、係合部８が凹部６の湾曲面Ｄ上を摺動するため、回動時のカバー４２のガタツキがより確実に抑制され、カバー４２の開閉操作をより安定的かつ円滑に行うことができる。
【００４８】
さらに、本発明の洋風便器装置の第２実施形態について説明する。
【００４９】
図１１は、本発明の洋風便器装置の第２実施形態におけるケーシングのカバーを例示した裏面側からの斜視図である。図１２は、本発明の洋風便器装置の第２実施形態におけるケーシング（カバーを外した状態）の上部後端に形成された凹部付近を例示した拡大斜視図である。図１１、図１２において、第１実施形態と共通する部分には同一の符号を付し、以下では説明を省略する。
【００５０】
この実施形態の洋風便器装置は、図１１に例示したように、カバー４２の係合部８の側面に、後方斜め上方向に延びるガイド溝８３が形成されており、図１２に例示したように、ケーシング本体４１の凹部６において対向する内側面６１Ａの適宜な位置に、内方に向かって突出する円柱形の突起６３が設けられている。凹部６の後方側の底部には円弧状の湾曲面Ｄが形成されている。
【００５１】
この実施形態では、凹部６の内側面６１Ａの突起６３が係合部８のガイド溝８３の上端８３a（カバー４２が閉鎖状態の際の位置）より下方（下端側）に位置している場合に、図８、図９に例示した形態と同様に、突起６３を支軸とした係合部８の回転によってカバー４２が回動自在とされている。そして、凹部６の後方側の底部には円弧状の湾曲面Ｄが形成されているため、カバー４２の回動時（係合部８の回転時）に、係合部８の後片８２の下端部が湾曲面Ｄ上を摺動する。このため、カバー４２の回動時におけるガタツキが抑制されて安定的かつスムーズにカバー４２を回動させることができる。
【００５２】
この実施形態の本発明の洋風便器装置は、ケーシング本体４１の上部後端には、前後方向に切欠かれた凹部６が形成されており、さらに、この凹部６において対向する内側面６１の一方には、内方に向かって突出する円柱形の突起６３が形成されており、かつ、この凹部６の底部には円弧状に切り欠かれた湾曲面Ｄが形成されている。そして、カバー４２は、後端付近に、裏面側へ向かって突出する係合部８を有し、この係合部８には、後方斜め上方向に延びるガイド溝８３が形成されている。また、係合部８は、凹部６の突起６３がガイド溝８３内にスライド自在に挿入された状態で凹部６に収納されている。そして、ガイド溝８３における突起６３の位置が、カバー４２が閉鎖状態の際の位置より下方に位置している場合に、突起６３を支軸とした係合部８の回転によってカバー４２が回動自在とされており、カバー４２が回動する際に、係合部８が凹部の湾曲面Ｄ上を摺動する。
【００５３】
したがって、本発明の洋風便器装置１は、簡便な構造で、ケーシング本体４１の上面部を覆うカバー４２の開閉操作を容易に行うことができる。さらに、カバーが回動する際に、係合部が凹部の湾曲面Ｄ上を摺動するため、回動時のカバーのガタツキがより確実に抑制され、カバーの開閉操作をより安定的かつ円滑に行うことができる。
【００５４】
本発明の洋風便器装置は、以上の形態に限定されることはない。例えば、突起の大きさ、突出長さおよびガイド溝の溝幅、溝深さは、ガイド溝内を突起が円滑にスライドするように適宜設計することができる。ガイド溝の位置や傾斜角度なども、カバーの開閉が容易になるように適宜設計することができる。例えば、第１実施形態においては、ガイド溝を、凹部において対向する内側面のうち、洋風便器装置の中央側に位置する面に設け、係合部の突起もこれに対応させて洋風便器装置の中央側に設けることもできる。さらに、凹部の底部に形成された湾曲面の円弧形状（カーブ）も係合部の形状や支軸となる突起の位置などを考慮して、係合部が回転時に湾曲面を摺動するように適宜設計することができる。また、洋風便器装置は、凹部の第１のリブおよび係合部の第２のリブを複数設けることもできる。具体的には、例えば、係合部に２つ配設された第２のリブが、凹部に配設された１つの第１のリブを挟み込むように近接対峙した状態で摺動するように設計することができる。また、逆に、係合部に１つ配設された第２のリブが、凹部に配設された２つの第１のリブに挟み込まれるように近接対峙した状態で摺動するように設計することができる。このように、凹部の第１のリブおよび係合部の第２のリブのうち、少なくとも一方を２つ以上設けることで、回動時のカバーのガタツキがより確実に抑制され、カバーの開閉操作をより安定かつ円滑に行うことができる。
【符号の説明】
【００５５】
１    洋風便器装置
２    便器本体
４    ケーシング
４１  ケーシング本体
４２  カバー
４２a 透光部
６    凹部
６３  突起
７    ガイド溝
８    係合部
８３  ガイド溝
９    突起
Ｓ    円形凹段部
【図１】
2015148068.tif 000003
【図２】
2015148068.tif 000004
【図３】
2015148068.tif 000005
【図４】
2015148068.tif 000006
【図６】
2015148068.tif 000007
【図７】
2015148068.tif 000008
【図８】
2015148068.tif 000009
【図９】
2015148068.tif 000010
【図１０】
2015148068.tif 000011
【図１２】
2015148068.tif 000012
【図５】
2015148068.tif 000013
【図１１】
2015148068.tif 000014